(57)【要約】      （修正有）【課題】着座位置と臥位との間で変換可能な子供用安全シートを提供する。【解決手段】子供用安全シート１００が、車両シート上のベース１０に連結される子供支持アセンブリ２３ａであって、互いに回動可能に接続される座部３０及び背もたれ部分２０を含み、背もたれ部分２０はさらに回動接続部を中心に、着座位置と臥位との間で調整可能である、子供支持アセンブリ２３ａ、着座位置又は臥位において子供支持アセンブリ２３ａとベース１０とをロックするように動作可能なラッチ、並びに、ラッチに動作可能に接続されるアクチュエータを含む。ラッチ及びアクチュエータは子供支持アセンブリ２３ａに連結され、ラッチは、子供支持アセンブリ２３ａを着座位置及び臥位においてベースの回動接続部の前方の領域に係合し、ラッチは、着座位置と臥位との間で子供支持アセンブリ２３ａをベースから離脱する。【選択図】図１
2018154336.tif 000002
【特許請求の範囲】
【請求項１】
子供用安全シートであって、
車両シート上で支持を提供し、後端を有するベース、
前記ベースに連結される子供支持アセンブリであって、互いに回動可能に接続される座部及び背もたれ部分を含み、前記背もたれ部分はさらに、前記ベースの前記後端に隣接して位置付けられる回動接続部を中心に前記ベースに回動可能に接続され、着座位置と臥位との間で前記ベースに対して調整可能である、子供支持アセンブリ、
前記着座位置又は前記臥位において前記子供支持アセンブリと前記ベースとをロックするように動作可能なラッチ、並びに、
前記ラッチに動作可能に接続されるアクチュエータであって、前記着座位置と前記臥位との間で前記子供支持アセンブリを調整するように前記ラッチをロック解除するよう動作可能である、アクチュエータ、を備え、
前記ラッチ及び前記アクチュエータは前記子供支持アセンブリに連結され、前記ラッチは、前記子供支持アセンブリを前記着座位置及び前記臥位においてロックするように前記ベースの前記回動接続部の前方の領域に係合し、前記ラッチは、前記着座位置と前記臥位との間で前記子供支持アセンブリを調整するように前記ベースから離脱することを特徴とする、
子供用安全シート。
【請求項２】
前記座部及び前記背もたれ部分は、第２の回動接続部を介して互いに回動可能に接続され、前記着座位置と前記臥位との間の前記子供支持アセンブリの調整によって前記第２の回動接続部が前記ベースに対して変位することを特徴とする、請求項１に記載の子供用安全シート。
【請求項３】
前記座部及び前記背もたれ部分は、前記背もたれ部分と前記ベースとの前記回動接続部に対して前方に位置する第２の回動接続部を介して互いに回動可能に接続され、前記座部は、前記ベースにそれぞれ移動可能に接続される左側及び右側を有することを特徴とする、請求項１に記載の子供用安全シート。
【請求項４】
前記ベース及び前記座部のうちの一方はガイドスロットを有し、前記ベース及び前記座部のうちの他方は、前記背もたれ部分と前記ベースとの前記回動接続部に対して前方に位置付けられるとともに、前記ガイドスロットを通して摺動可能に組み付けられるシャフト部分に固定して接続され、該シャフト部分は、前記着座位置と前記臥位との間の前記子供支持アセンブリの調整中に、前記ベースに対する前記座部の前後への摺動変位を容易にするように前記ガイドスロットに沿って摺動することを特徴とする、請求項３に記載の子供用安全シート。
【請求項５】
前記ベース及び前記背もたれ部分のうちの一方はガイドスロットを有し、前記ベース及び前記背もたれ部分のうちの他方は、前記背もたれ部分と前記ベースとの前記回動接続部に対して前方に位置付けられるとともに、前記ガイドスロットを通して摺動可能に組み付けられるシャフト部分に固定して接続され、該シャフト部分は、前記着座位置と前記臥位との間の前記子供支持アセンブリの調整中に、前記ベースに対する前記背もたれ部分の前後への摺動変位を容易にするように前記ガイドスロットに沿って摺動することを特徴とする、請求項３に記載の子供用安全シート。
【請求項６】
前記ベース及び前記背もたれ部分のうちの一方はガイドスロットを有し、前記子供支持アセンブリが前記着座位置と前記臥位との間で調整されるときに、前記背もたれ部分と前記ベースとの前記回動接続部は前記ガイドスロットに沿って摺動することを特徴とする、請求項３に記載の子供用安全シート。
【請求項７】
前記ベース及び前記背もたれ部分のうちの一方は前記背もたれ部分と前記ベースとの、前記回動接続部に対して前方に位置付けられる第２のガイドスロットを有し、前記ベース及び前記背もたれ部分のうちの他方は、前記第２のガイドスロットを通して摺動可能に組み付けられるシャフト部分に固定して接続され、該シャフト部分は、前記子供支持アセンブリが前記着座位置と前記臥位との間で調整されるときに、前記第２のガイドスロットに沿って摺動することを特徴とする、請求項６に記載の子供用安全シート。
【請求項８】
前記ベースは第１の開口と第２の開口を備える側壁を有し、前記ベースが使用中の配置で外面にある時、前記第１の開口は前記第２の開口の上に配置され、前記ラッチは、前記子供支持アセンブリを前記臥位においてロックするように前記第２の開口から離脱して前記第１の開口に係合し、前記子供支持アセンブリを前記着座位置においてロックするように前記第１の開口から離脱して前記第２の開口に係合することを特徴とする、請求項１〜７のいずれか一項に記載の子供用安全シート。
【請求項９】
前記ラッチ及び前記アクチュエータは、前記背もたれ部分及び前記座部のうちの一方に連結され、前記着座位置と前記臥位との間の前記子供支持アセンブリの調整中に、前記背もたれ部分及び前記座部とともに、前記ベース並びに前記背もたれ部分及び前記座部のうちの他方に対して移動可能であることを特徴とする、請求項１〜８のいずれか一項に記載の子供用安全シート。
【請求項１０】
前記子供支持アセンブリには、前記ラッチをロック状態に向かって付勢するように、ばね力を加えるよう動作可能なばねが更に設けられることを特徴とする、請求項１〜９のいずれか一項に記載の子供用安全シート。
【請求項１１】
前記ラッチは、前記ベースに係合又は離脱するように、前記子供支持アセンブリの左側及び右側のうちの一方において該子供支持アセンブリに対して横断方向に摺動することを特徴とする、請求項１〜１０のいずれか一項に記載の子供用安全シート。
【請求項１２】
前記アクチュエータは、前記ラッチが配置される前記子供支持アセンブリの左側又は右側に向かって曲がる弾性アームを介して前記ラッチに動作可能に接続されることを特徴とする、請求項１１に記載の子供用安全シート。
【請求項１３】
前記アクチュエータは前記子供支持アセンブリに回動可能又は摺動可能に接続され、前記アクチュエータは、前記弾性アームを摺動させるように動作可能であることを特徴とする、請求項１２に記載の子供用安全シート。
【請求項１４】
前記ベースに回動可能に接続される運搬用ハンドルを更に含む、請求項１〜１３のいずれか一項に記載の子供用安全シート。
【発明の詳細な説明】
【技術分野】
【０００１】
本発明は、子供用安全シートに関する。
【背景技術】
【０００２】
従来から、自動車は、前部座席及び後部座席に設けられるシートベルトを有する。シートベルトは一般的に、車両の衝突又は急停止の場合に乗員を拘束して保護するために、車両の固定点によって締結できるショルダーストラップ及びラップストラップを含む。
しかし、車両のシートベルトの使用は、身体がより小さく、シートベルトによって加えられる圧力を維持できないことがある幼児には適合されていない。したがって、安全法は、車両内で幼児を着座させるために子供用安全シートの使用を義務付けている。車両のシートベルトは、幼児を拘束するようにより適合されているハーネスを有する子供用安全シートを固定するのに使用できる。
【０００３】
子供用安全シートは、子供を支持する座部及び背もたれ部分を有する剛性の本体から作ることができる。子供用安全シートの剛性の本体は概して、直立の着座位置以外のいずれかの位置で子供を載せることができないため、その使用が制限される可能性がある。
【発明の概要】
【発明が解決しようとする課題】
【０００４】
したがって、使用時により適応性があり、少なくとも上記課題に対処できる子供用安全シートが必要とされている。
【課題を解決するための手段】
【０００５】
本願は、着座位置と臥位との間で変換可能であり得る子供用安全シートを記載する。１つの実施形態によると、子供用安全シートは、車両シート上で支持を提供するベース、ベースに連結される子供支持アセンブリであって、互いに回動可能に接続される座部及び背もたれ部分を含み、背もたれ部分はさらに、ベースの後端に隣接して位置付けられる回動接続部を中心にベースに回動可能に接続され、着座位置と臥位との間でベースに対して調整可能である、子供支持アセンブリ、着座位置又は臥位において子供支持アセンブリとベースとをロックするように動作可能なラッチ、並びに、ラッチに動作可能に接続されるアクチュエータであって、着座位置と臥位との間で子供支持アセンブリを調整するようにラッチをロック解除するよう動作可能なアクチュエータを含む。ラッチ及びアクチュエータは子供支持アセンブリ２３ａに連結され、ラッチは、子供支持アセンブリを着座位置及び臥位においてロックするようにベースの回動接続部の前方の領域に係合し、ラッチは、着座位置と臥位との間で子供支持アセンブリを調整するようにベースから離脱する。
【０００６】
別の実施形態によると、子供用安全シートは、車両シート上で支持を提供するベース、ベースに連結される子供支持アセンブリであって、回動接続部を中心に互いに回動可能に接続される座部及び背もたれ部分を含み、座部は、ベースにそれぞれ移動可能に接続される左側及び右側を有し、回動接続部は、子供支持アセンブリが第１の位置と第２の位置との間でベースに対して調整されるときにベースに対して変位する、子供支持アセンブリ、第１の位置又は第２の位置において子供支持アセンブリとベースとをロックするように動作可能なラッチ、並びに、ラッチに動作可能に接続されるアクチュエータであって、第１の位置と第２の位置との間で子供支持アセンブリを調整するようにラッチをロック解除するよう動作可能なアクチュエータを含む。
【図面の簡単な説明】
【０００７】
【図１】着座位置にある子供用安全シートの１つの実施形態を示す概略斜視図である。
【図２】臥位にある図１の子供用安全シートを示す概略斜視図である。
【図３】図１に示されている子供用安全シートの後部を示す斜視図である。
【図４】着座位置にある、図１に示されている子供用安全シートの断面図である。
【図５】図４に示されている部分Ａの拡大図である。
【図６】臥位にある子供用安全シートの断面図である。
【図７】図１に示されている子供用安全シートの背もたれ部分に設けられるラッチ機構を示す概略図である。
【図８】着座位置にある子供用安全シートの変形の構成を示す概略図である。
【図９】臥位にある図８の子供用安全シートを示す概略図である。
【図１０】着座位置にある子供用安全シートの別の実施形態を示す概略図である。
【図１１】臥位にある図１０の子供用安全シートを示す概略図である。
【図１２】図１０の子供用安全シートに設けられるラッチ機構を示す概略断面図であり、子供用安全シートは、図１２では着座位置で示されている。
【図１３】図１２に示されている部分Ｂの拡大図である。
【図１４】図１０の子供用安全シートにおいて背もたれ部分及び座部とベースとを連結する幾つかの摺動接続部を示す概略断面図である。
【図１５】臥位にある図１０の子供用安全シートを示す概略断面図である。
【図１６】図１０の子供用安全シートの後部を示す斜視図である。
【発明を実施するための形態】
【０００８】
図１〜図６を参照する。子供用安全シート１００は、ベース１０、及び、ベース１０に連結される子供支持アセンブリ２３ａを含むことができる。
ベース１０は、車両シート上で子供用安全シート１００の支持を提供できる。例えば、ベース１０は、車両シートに安定して載ることが可能な底部を有することができる。さらに、ベース１０は、子供支持アセンブリ２３ａを配置するための内部の境界を定める左右の側壁１０ａを有することができる。子供用安全シート１００の可搬性を容易にするために、運搬用ハンドル１１をベース１０に組み付けることができる。運搬用ハンドル１１は、ベース１０の左側及び右側に回動可能に接続できる。
【０００９】
子供支持アセンブリ２３ａは、背もたれ部分２０及び座部３０を含み、直立又は着座位置（図１及び図４により良く示されている）と臥位（図２及び図６により良く示されている）との間でベース１０に対して調整可能である。背もたれ部分２０は、回動接続部Ｐ１を介してベース１０に回動可能に接続できる。
回動接続部Ｐ１は、背もたれ部分２０がベース１０に対して中心として回転できる回動軸を画成するように、ベース１０及び背もたれ部分２０のうちの一方に固定されるシャフト部分を含むことができる。回動接続部Ｐ１は、横断方向に延在でき、背もたれ部分２０の前端２０ａと後端２０ｂとの間の領域に例示的には配置できる。さらに、背もたれ部分２０は、ベース１０の後端１０ｒを越えて後方に突出できる。
【００１０】
座部３０は、回動接続部Ｐ２を中心に背もたれ部分２０に回動可能に接続され、ベース１０の前端１０ｆを越えて前方に延在できる。回動接続部Ｐ２は、座部３０及び背もたれ部分２０が中心として互いに対して回転できる回動軸を画成するように、背もたれ部分２０及び座部３０のうちの一方に固定されるシャフト部分を例示的には含むことができる。
回動接続部Ｐ２は、背もたれ部分２０の前端２０ａと座部３０の後端３０ｂとを例示的には連結でき、回動接続部Ｐ１に対して前方に、かつ回動接続部Ｐ１よりも低く位置付けることができる。
【００１１】
図１〜図４及び図６を参照する。座部３０は、２つの摺動接続部６０を介してベース１０の２つの側壁１０ａにそれぞれ移動可能に接続される左側及び右側を更に有することができる。
各摺動接続部６０は、ベース１０及び座部３０のうちの一方に設けられるガイドスロット６１、並びに、ベース１０及び座部３０のうちの他方に固定して接続されるシャフト部分６２を含むことができる。シャフト部分６２は、ガイドスロット６１を通して摺動可能に組み付けられ、回動接続部Ｐ１に対して前方に位置付けられる。構成の一例によると、ガイドスロット６１を座部３０に設けることができ、シャフト部分６２をベース１０に固定して接続できる。しかし、ガイドスロット６１及びシャフト部分６２の位置を入れ替えることができ、すなわち、ガイドスロットをベース１０に設けることができ、シャフト部分を座部３０に固定して接続できることが理解されよう。
【００１２】
上述した組み付けによって、背もたれ部分２０及び座部３０は、互いに移動可能に連結され、着座位置と臥位との間の子供支持アセンブリ２３ａの調整中に互いに対して回転してベース１０に対して移動できる。例えば、子供支持アセンブリ２３ａを着座位置と臥位との間で切り換えるために、ケア提供者は、背もたれ部分２０を、回動接続部Ｐ１を中心に回転させるように、背もたれ部分２０に力を加えることができ、これによってさらに、座部３０を押しやって背もたれ部分２０に対して回転させると同時に、ベース１０に対して前後に移動させることができる。子供支持アセンブリ２３ａを着座位置と臥位との間で切り換えるために、ケア提供者は、座部３０を回転させるとともにベース１０に対して前後に摺動させるように、座部３０に代替的に力を加えることもでき、これによってさらに、背もたれ部分２０を押しやって回動接続部Ｐ１を中心に回転させる。
シャフト部分６２は、着座位置と臥位との間の子供支持アセンブリ２３ａの調整中に、ベース１０に対する座部３０の円滑な前後への摺動を可能にするようにガイドスロット６１に沿って摺動できる。さらに、着座位置と臥位との間の子供支持アセンブリ２３ａの調整は、回動接続部Ｐ２をベース１０に対して鉛直に変位させることができる。子供支持アセンブリ２３ａの着座位置は、例えば、子供用安全シート１００が子供を着座させるために車両シートに取り付けられるときに設定できる。子供支持アセンブリ２３ａの臥位は、例えば、子供用安全シート１００が車両シートに取り付けられず、子供が眠ることを助けるように快適な環境を提供するのに使用されるときに設定できる。
【００１３】
図４、図６及び図７を参照する。子供用安全シート１００は、子供支持アセンブリ２３ａを適所にロックするラッチ機構４０を更に含むことができる。
ラッチ機構４０は、２つのラッチ４１、アクチュエータ４２、連結機構４３及び２つの弾性アーム４４を含むことができる。２つのラッチ４１は、着座位置又は臥位において子供支持アセンブリ２３ａとベース１０とをロックするように動作可能であり、子供支持アセンブリ２３ａに例示的には組み付けることができる。より具体的には、２つのラッチ４１は、例示的にはピン形状を有することができ、背もたれ部分２０の左側及び右側において背もたれ部分２０に対して反対方向に横断方向に摺動するように、子供支持アセンブリ２３ａの背もたれ部分２０にそれぞれ組み付けることができる。
２つのラッチ４１はそれによって、子供支持アセンブリ２３ａを着座位置又は臥位においてロックするように、子供支持アセンブリ２３ａの左側及び右側において突出してベース１０の２つの側壁１０ａにそれぞれ係合するとともに、子供支持アセンブリ２３ａを着座位置と臥位との間で調整するように、子供支持アセンブリ２３ａの内部に向かって後退してベース１０の２つの側壁１０ａから離脱できる。
【００１４】
図４及び図６を参照する。ベース１０の各側壁１０ａは、臥位及び着座位置にそれぞれ関連する２つの開口５１及び５２をそれぞれ含むことができ、開口５１は開口５２の上に配置される。２つのラッチ４１は、臥位において子供支持アセンブリ２３ａをロックするようにベース１０の２つの側壁１０ａに設けられる２つの開口５１、及び、着座位置において子供支持アセンブリ２３ａをロックするようにベース１０の２つの側壁１０ａに設けられる２つの開口５２にそれぞれ係合できる。
【００１５】
アクチュエータ４２は、２つのラッチ４１に動作可能に接続され、着座位置と臥位との間で子供支持アセンブリ２３ａを調整するように２つのラッチ４１をロック解除するよう動作可能である。より具体的には、アクチュエータ４２は、回動接続部Ｐ３を介して子供支持アセンブリ２３ａの背もたれ部分２０に回動可能に接続でき、操作端４２ａ及び連結端４２ｂを含むことができる。
回動接続部Ｐ３は、２つのラッチ４１を押しやってベース１０から離脱させるように移動させるようアクチュエータ４２が中心として回転できる回動軸を画成するシャフト部分を含むことができる。操作端４２ａは手動の操作のために外方に露出されることができる。
【００１６】
アクチュエータ４２の連結端４２ｂは、背もたれ部分２０に対して中央に配置される、連結機構４３の上側端に回動可能に接続できる。より具体的には、連結機構４３の上側端は、連結機構４３の摺動軸に対して或る角度で（すなわち、図６に示されているように、背もたれ部分２０において矢印の方向に対応して）延在するガイドスロット４３１を含むことができる。
アクチュエータ４２の連結端４２ｂは、ガイドスロット４３１を通して回動可能に組み付けられ、ガイドスロット４３１に沿って摺動できるピン４２１に固定できる。アクチュエータ４２と連結機構４３とを連結する代替的な構成は、アクチュエータ４２の連結端４２ｂにガイドスロット４３１を設けることもでき、ピン４２１に、連結機構４３の上側端を固定し、ガイドスロット４３１を通して組み付けることができることが理解されよう。このように、回動接続部Ｐ３を中心とするアクチュエータ４２の回転を、背もたれ部分２０に対する連結機構４３の上方又は下方への摺動に連結できる。
【００１７】
連結機構４３の下側端が、２つの弾性アーム４４に接続されることができる。各弾性アーム４４は、弾性変形可能な材料から作ることができ、連結機構４３、及び、弾性アーム４４に関連する１つのラッチ４１に反対側が接続される湾曲した形状を有することができる。２つの弾性アーム４４は、弾性アーム４４にそれぞれ関連するラッチ４１に接続するように、連結機構４３から背もたれ部分２０の左側及び右側に向かって反対方向にそれぞれ曲がることができる。
【００１８】
図７を参照する。背もたれ部分２０は、２つの弾性アーム４４を摺動移動でそれぞれガイドする２つの対称的なガイド構造部２１を更に含むことができる。各ガイド構造部２１は、湾曲した通路２１１を画成する２つの突出リブをそれぞれ含むことができる。２つの弾性アーム４４は、ガイド構造部２１に摺動接触して２つの通路２１１を通してそれぞれ配置できる。この摺動接触は、２つの弾性アーム４４の弾性的な曲げを容易にできる。
【００１９】
図５に示されているように、子供支持アセンブリ２３ａの背もたれ部分２０には、ラッチ４１をロック状態に向かって付勢するばね力を加えるように動作可能なばね４５を更に設けることができる。ばね４５は、連結機構４３及び背もたれ部分２０にそれぞれ接続できる。ばね４５は、例示的には圧縮ばね又は引きばねであり得る。ばね４５は、２つのラッチ４１をロック状態に向かって押すように２つの弾性アーム４４を押しやるよう、連結機構４３を下方に付勢できる。
【００２０】
上述した構成によって、ばね４５によって加えられる付勢力が、子供支持アセンブリ２３ａを臥位又は着座位置においてロックするように、２つのラッチ４１を押しやり、ベース１０に係合させることができる。さらに、アクチュエータ４２は、連結機構４３及び２つの弾性アーム４４を上方に摺動させるように操作でき、これによって、２つのラッチ４１を駆動し、ベース１０から離脱させ、それによって調整のために子供支持アセンブリ２３ａをロック解除するように同時に摺動させることができる。
【００２１】
子供支持アセンブリ２３ａを適所にロックするラッチ機構が上述した構成に限定されないことが理解されよう。例えば、変形の構成は、背もたれ部分２０に摺動可能に組み付けられるとともに２つの弾性アーム４４に直接的に接続される単一の部分として一体的に形成されるアクチュエータが代わりに用いられるアクチュエータ４２及び連結機構４３を有することができる。この他の構成の場合、アクチュエータの上方への摺動が、２つのラッチ４１のロック解除移動を直接的に駆動できる。
【００２２】
別の構成は、子供支持アセンブリ２３ａに組み付けられるラッチ４１及びアクチュエータ４２を有するのではなく、ベース１０に組み付けられるラッチ及びアクチュエータも有することができ、ラッチは、子供支持アセンブリ２３ａをロック又はロック解除するように、子供支持アセンブリ２３ａに設けられる開口に係合又は離脱するように移動可能である。
さらに、実施形態は、臥位及び着座位置をロックする上述した開口５１及び５２に限定されず、子供支持アセンブリ２３ａを任意の所望のリクライニング位置にロックするように、より多くの開口を設けることができる。
【００２３】
子供用安全シート１００を臥位と着座位置との間で変換させる例示的な操作を、図１〜図７を参照して以下で記載する。子供用安全シート１００の子供支持アセンブリ２３ａが図１及び図４に示されているような着座位置にあると仮定する。この形態では、２つのラッチ４１は、ベース１０の２つの側壁１０ａの開口５２にそれぞれ係合でき、これによって子供支持アセンブリ２３ａを着座位置においてロックする。さらに、回動接続部Ｐ２は、垂直距離Ｄ１（図４により良く示されている）だけベース１０の基準面Ｒの上に位置付けられる位置に位置付けることができる。
【００２４】
子供用安全シート１００を図１及び図４の着座位置から図２及び図６の臥位に変換するために、ケア提供者は、アクチュエータ４２の操作端４２ａを最初に操作し、これによって、アクチュエータ４２を、回動接続部Ｐ３を中心に回転させ、それによって連結機構４３を引っ張って背もたれ部分２０に対して上方に摺動させる。連結機構４３のこの上方への変位によって、ばね４５を圧縮させるとともに２つの弾性アーム４４を引っ張って上方に摺動させることができ、これによって、２つのラッチ４１をそれぞれ曲げて押しやり、開口５２から離脱させるように互いに向かって横断方向に移動させる。子供支持アセンブリ２３ａはそれによってベース１０からロック解除される。
【００２５】
臥位を設定するために、ケア提供者は次に、背もたれ部分２０の前端２０ａ及び回動接続部Ｐ２を上方に変位させるように、背もたれ部分２０を、回動接続部Ｐ１を中心に回転させることができ、これによって座部３０を押しやって回転させてベース１０に対して前方に摺動させる。代替的には、ケア提供者は座部３０を前方に変位させることができ、これによって、背もたれ部分２０を押しやってその前端２０ａ及び回動接続部Ｐ２を上方に変位させるように回転させる。
子供支持アセンブリ２３ａが着座位置から臥位に向かって移動すると、ラッチ４１及びアクチュエータ４２は、背もたれ部分２０とともにベース１０及び座部３０に対して移動できる。臥位に達すると、ケア提供者はアクチュエータ４２を解放できるため、ばね４５が連結機構４３を押しやってその初期位置まで下方に摺動させることができる。連結機構４３のこの下方への移動は、アクチュエータ４２がその初期位置に戻ることを可能にし、２つの弾性アーム４４を下方に押すことができ、これによって、２つのラッチ４１を開口５１に係合させるように互いから横断方向に離すようそれぞれ曲げて押しやる。子供用安全シート１００はそれによって臥位においてロックされる。
【００２６】
回動接続部Ｐ２は、着座位置におけるよりも臥位においてより高い。例えば、臥位における回動接続部Ｐ２からベース１０の基準面Ｒまでの垂直距離Ｄ２（図６により良く示されている）は、着座位置における回動接続部Ｐ２からベース１０の基準面Ｒまでの垂直距離Ｄ１よりも大きい。さらに、座部３０の前端３０ａは前方に変位できる。
【００２７】
子供用安全シート１００を臥位から着座位置に切り換えて戻すために、ケア提供者は、アクチュエータ４２を前述したように操作し、２つのラッチ４１を開口５１から離脱させ、それによって子供支持アセンブリ２３ａをロック解除する。次に、背もたれ部分２０は、回動接続部Ｐ２及び背もたれ部分２０の前端２０ａを下方に移動させる方向に回動接続部Ｐ１を中心に回転されることができ、これによって座部３０を駆動して後方に移動させる。代替的には、ケア提供者は、回動接続部Ｐ２及び背もたれ部分２０の前端２０ａを下方に移動させる方向に回動接続部Ｐ１を中心に背もたれ部分２０の回転を駆動するように、座部３０を後方に移動させることもできる。着座位置に達すると、ケア提供者は、アクチュエータ４２を解放できるため、ばね４５によって加えられる付勢力によって、ラッチ４１を開口５２にそれぞれ係合させることができ、それによって子供支持アセンブリ２３ａを着座位置においてロックする。
【００２８】
図８及び図９は、子供用安全シート１００’の変形の構成を示す概略図である。図８及び図９に示されている子供用安全シート１００’は、前述した子供用安全シート１００と実質的に同様である。違いは、子供用安全シート１００’が、ベース１０と背もたれ部分２０とを連結する更なる摺動接続部を含むことである。
図８及び図９を参照する。付加的な摺動接続部が、ベース１０の左右の内面のそれぞれに設けられる２つのガイドスロット１２及び１３を含むことができる。ガイドスロット１２は、ベース１０の前端１０ｆと後端１０ｒとの間の中間の領域において回動接続部Ｐ１に対して前方に位置付けることができ、概ね鉛直に延在できる。他方のガイドスロット１３は、ガイドスロット１２の後ろに配置でき、ベース１０の後方に向かって或る角度で上がることができる。背もたれ部分２０の左側及び右側のそれぞれは、回動接続部Ｐ１に対して前方に位置付けられるシャフト部分２２にそれぞれ固定して接続でき、対応するガイドスロット１２を通して摺動可能に組み付けられる。さらに、回動接続部Ｐ１のシャフト部分に、背もたれ部分２０を取り付け、対応するガイドスロット１３を通して摺動可能に組み付けることができる。
臥位と着座位置との間の子供支持アセンブリ２３ａの調整中に、シャフト部分２２及び回動接続部Ｐ１は、２つのガイドスロット１２及び１３に沿ってそれぞれ摺動でき、これによって、ベース１０に対する背もたれ部分２０の円滑な回転及び前後への変位をガイドして容易にできる。
【００２９】
背もたれ部分２０の摺動接続を、何らかの変形の構成によって実現できることが理解されよう。例えば、２つのガイドスロット１２及び１３を、背もたれ部分２０の左側及び右側のそれぞれに設けることができ、シャフト部分２２及び回動接続部Ｐ２のシャフト部分をベース１０にそれぞれ取り付けることができる。この変形の構成は同様に、臥位と着座位置との間の子供支持アセンブリ２３ａの移動中のベース１０に対する背もたれ部分２０の円滑な前後への変位を可能にできる。
【００３０】
前述したように、左側及び右側のそれぞれにおけるラッチ４１は、（図８に示されているような）着座位置において子供支持アセンブリ２３ａをロックするように対応する開口５２に、及び、（図９に示されているような）臥位において子供支持アセンブリ２３ａをロックするように対応する開口５１に係合できる。
【００３１】
図１０〜図１６は、子供用安全シート１００’’の別の構成を示す概略図である。図１０〜図１６に示されている子供用安全シート１００’’は、前述した子供用安全シート１００と実質的に同様である。違いは、子供支持アセンブリ２３ａを着座位置又は臥位においてロックする子供用安全シート１００’のラッチ機構４０’が、前述したラッチ機構４０とは異なることである。
ラッチ機構４０’は、２つのラッチ４１’、アクチュエータ４２’、２つの弾性アーム４４’及びばね４５’を含むことができる。２つのラッチ４１’及び２つの弾性アーム４４’は対称であるため、２つのラッチ４１’のうちの一方及び２つの弾性アーム４４’のうちの一方のみが、説明を分かりやすくするために図１２、図１４及び図１５の断面図に示されている。さらに、座部３０の図示は、ラッチ４１’及び子供用安全シート１００’’に含まれる他の特徴部をより良く示すために図１４では部分的に省かれている。
【００３２】
２つのラッチ４１’は、着座位置又は臥位において子供支持アセンブリ２３ａとベース１０とをロックするように動作可能であり、子供支持アセンブリ２３ａの座部３０に組み付けられる。より具体的には、２つのラッチ４１’は、ピン形状を例示的には有することができ、座部３０に対してその左側及び右側において反対方向に横断方向に摺動するように座部３０にそれぞれ組み付けることができる。コンパクトな組み付けのために、２つのラッチ４１’は、背もたれ部分２０と座部３０とを連結する回動接続部Ｐ２の軸に対して同軸である横軸に沿って移動可能であり得る。
２つのラッチ４１’は、子供支持アセンブリ２３ａを着座位置又は臥位においてロックするように、子供支持アセンブリ２３ａの左側及び右側において突出してベース１０の２つの側壁１０ａにそれぞれ係合するとともに、子供支持アセンブリ２３ａを着座位置と臥位との間で調整するように、子供支持アセンブリ２３ａの内部に向かって後退してベース１０の２つの側壁１０ａから離脱できる。
【００３３】
図１４を参照する。ベース１０の各側壁１０ａは、臥位及び着座位置にそれぞれ関連する２つの開口５１’及び５２’をそれぞれ含むことができ、開口５１’は開口５２’の上に配置される。２つのラッチ４１’は、子供支持アセンブリ２３ａを臥位においてロックするように２つの開口５１’、及び、子供支持アセンブリ２３ａを着座位置においてロックするように２つの開口５２’にそれぞれ係合できる。
【００３４】
アクチュエータ４２’は、２つのラッチ４１’に動作可能に接続され、子供支持アセンブリ２３ａを着座位置と臥位との間で調整するように、２つのラッチ４１’をロック解除するよう動作可能である。より具体的には、アクチュエータ４２’は、前後に摺動移動するように、その中央領域において座部３０に組み付けることができ、手動の操作のために座部３０の前方において露出させることができる。
【００３５】
２つの弾性アーム４４’は、弾性変形可能な材料から作ることができる。各弾性アーム４４’は、アクチュエータ４２’、及び、弾性アーム４４’に関連する１つのラッチ４１’に反対側が接続される湾曲した形状を有することができる。より具体的には、２つの弾性アーム４４’は、弾性アーム４４’にそれぞれ関連する２つのラッチ４１’に接続するように、アクチュエータ４２’から座部３０の左側及び右側に向かって反対方向にそれぞれ曲がることができる。ラッチ４１’、アクチュエータ４２’及び弾性アーム４４’は、座部３０の内部において組み付けることができ、これは、カバー３１によって上方を閉じられることができる。
【００３６】
ばね４５’は、座部３０及びアクチュエータ４２’にそれぞれ接続され、アクチュエータ４２’を、ラッチ４１’のロック状態に対応する初期位置に向かって付勢できる。
【００３７】
別の構成は、子供支持アセンブリ２３ａの座部３０に組み付けられるラッチ４１’及びアクチュエータ４２’を有するのではなく、ベース１０に組み付けられるラッチ及びアクチュエータを有することもできる。ラッチは、子供支持アセンブリ２３ａをロック又はロック解除するように、座部３０に設けられる開口に係合又は離脱するように移動可能である。
【００３８】
図１２及び図１４を参照する。背もたれ部分２０の後端２０ｂは、回動接続部Ｐ１を中心にベース１０に回動可能に接続でき、背もたれ部分２０の前端２０ａは、回動接続部Ｐ２を介して座部３０の後端３０ｂに回動可能に接続できる。さらに、子供用安全シート１００’’は、背もたれ部分２０及び座部３０とベース１０とをそれぞれ連結する摺動接続部６１’を更に含むことができる。摺動接続部６１’は、ベース１０の左右の内面のそれぞれに設けられる２つのガイドスロット６１１’及び６１２’を含むことができる。例えば、ベース１０の左右の側壁１０ａのそれぞれは、固定側壁７０をそれぞれ有することができ、２つのガイドスロット６１１’及び６１２’は側壁７０に設けることができる。
２つの開口５１’及び５２’は、２つのガイドスロット６１１’及び６１２’間の側壁７０の領域に設けることができる。背もたれ部分２０の左側及び右側のそれぞれは、背もたれ部分２０の後端２０ｂと前端２０ａとの間に配置されるシャフト部分６２１’にそれぞれ固定して接続できる。各シャフト部分６２１’は、１つの対応するガイドスロット６１１’を通して摺動可能に組み付けられる。同様に、座部３０の左側及び右側のそれぞれを、座部３０の後端３０ｂと前端３０ａとの間に配置されるとともに、１つの対応するガイドスロット６１２’を通して摺動可能に組み付けられる（図１４により良く示されている）シャフト部分６２２’にそれぞれ固定できる。
着座位置と臥位との間の子供支持アセンブリ２３ａの調整中に、背もたれ部分２０のシャフト部分６２１’及び座部３０のシャフト部分６２２’は、ガイドスロット６１１’及び６１２’に沿ってそれぞれ摺動でき、これによって、ベース１０に対する背もたれ部分２０及び座部３０の円滑な回転及び前後への変位をガイドして容易にできる。
【００３９】
背もたれ部分２０及び座部３０とベース１０とを連結する摺動接続部が上述した構成に限定されないことが理解されよう。例えば、変形の構成は、ガイドスロット６１１’及び６１２’を背もたれ部分２０及び座部３０にそれぞれ設けることができ、ガイドスロット６１１’及び６１２’に組み付けられるシャフト部分をベース１０に固定して接続できる。この変形の構成は同様に、着座位置と臥位との間の子供支持アセンブリ２３ａの調整中に、背もたれ部分２０及び座部３０をガイドするとともにベース１０に対する背もたれ部分２０及び座部３０の円滑な変位を可能にできる。
【００４０】
子供用安全シート１００’’を臥位と着座位置との間で変換させる例示的な操作を、図１０〜図１６を参照して以下で記載する。子供用安全シート１００’’の子供支持アセンブリ２３ａが図１０、図１２及び図１４に示されているような着座位置にあると仮定する。この形態では、２つのラッチ４１’は、ベース１０の２つの側壁１０ａにある開口５２’にそれぞれ係合でき、これによって子供支持アセンブリ２３ａを着座位置においてロックする。
【００４１】
子供支持アセンブリ２３ａを、着座位置から、図１１及び図１５に示されている臥位に切り換えるために、ケア提供者は、アクチュエータ４２’を最初に引っ張って前方に摺動させる。アクチュエータ４２’のこの前方への変位によって、ばね４５’を伸張させて２つの弾性アーム４４’を前方に引っ張ることができ、これによって２つのラッチ４１’をそれぞれ曲げて押しやり、ベース１０の開口５２’から離脱させるように互いに向かって横断方向に移動させる。子供支持アセンブリ２３ａはそれによってベース１０からロック解除される。
【００４２】
臥位を設定するために、ケア提供者は次に、座部３０を前方に引っ張ることができ、これによって、背もたれ部分２０の前端２０ａ及び回動接続部Ｐ２を上方に変位させるように、背もたれ部分２０を押しやって回動接続部Ｐ１を中心に回転させる。子供支持アセンブリ２３ａが着座位置から臥位に向かって移動すると、ラッチ４１’及びアクチュエータ４２’は、座部３０とともにベース１０及び背もたれ部分２０に対して移動できる。臥位に達すると、ケア提供者はアクチュエータ４２’を解放できるため、ばね４５’がアクチュエータ４２’を押しやってその初期位置まで後方に摺動させることができる。アクチュエータ４２’のこの後方移動は、２つの弾性アーム４４’を後方に押すことができ、これによって、２つのラッチ４１’を開口５１’に係合させるように互いから横断方向に離すようそれぞれ曲げて押しやる。子供支持アセンブリ２３ａはそれによって臥位においてロックされる。
【００４３】
子供支持アセンブリ２３ａを臥位から着座位置に切り換えるために、アクチュエータ４２’を、子供支持アセンブリ２３ａをロック解除するように前述したように操作できる。次に、座部３０を後方に押すことができ、これによって、背もたれ部分２０の前端２０ａ及び回動接続部Ｐ２を下方に変位させるように、背もたれ部分２０を押しやって回動接続部Ｐ１を中心に回転させる。
子供支持アセンブリ２３ａが臥位から着座位置に向かって移動すると、ラッチ４１’及びアクチュエータ４２’は、座部３０とともにベース１０及び背もたれ部分２０に対して移動できる。着座位置に達すると、ケア提供者はアクチュエータ４２’を解放できるため、ばね４５’がアクチュエータ４２’を押しやってその初期位置まで後方に摺動させ、それによって、２つのラッチ４１’を開口５２’に係合させるように互いから横断方向に離すことができる。子供支持アセンブリ２３ａはそれによって着座位置においてロックされる。
【００４４】
本明細書において記載される子供用安全シートの利点は、必要性に従って異なる位置に調整できる子供支持アセンブリを含む。特に、子供用安全シートの子供支持アセンブリは、車両において子供を安全に着座させるように設定できる着座位置、及び、子供に快適な支持を提供するように設定できる臥位を有することができる。
【００４５】
子供用安全シートの実現を、特定の実施形態の文脈において記載した。これらの実施形態は、例示的であり、限定的ではないことが意図される。多くの変形、変更、付加及び改良が可能である。これら及び他の変形、変更、付加及び改良は、後続の特許請求の範囲において規定されるような本発明の範囲内に入り得る。
【図１】
2018154336.tif 000003
【図２】
2018154336.tif 000004
【図３】
2018154336.tif 000005
【図４】
2018154336.tif 000006
【図５】
2018154336.tif 000007
【図６】
2018154336.tif 000008
【図７】
2018154336.tif 000009
【図８】
2018154336.tif 000010
【図９】
2018154336.tif 000011
【図１０】
2018154336.tif 000012
【図１１】
2018154336.tif 000013
【図１２】
2018154336.tif 000014
【図１３】
2018154336.tif 000015
【図１４】
2018154336.tif 000016
【図１５】
2018154336.tif 000017
【図１６】
2018154336.tif 000018